(57)【要約】【課題】排水管を安定して配置できるバルコニーにおける床仕上げ材及び排水管の施工方法を提供する。【解決手段】施工方法は、バルコニー１０の床面１１に床仕上げ材２０を敷設する設置工程（Ｓ１０）と、排水管４０の上端が給湯器３０のドレイン管３２と間接排水によって接続可能な位置となり、且つ排水管４０が平面視において床仕上げ材２０の目地２４と重ならないように、排水管４０を仮配置する位置決め工程（Ｓ３０〜Ｓ５０）と、床仕上げ材２０における排水管４０の仮配置箇所に孔２５をあける孔あけ工程（Ｓ６０）と、排水管４０の下端に繋がれた継手４２を孔２５に挿入することで位置決めした位置に排水管４０を本配置して、固定部材４３によって排水管４０を壁面１２に固定する排水管配置工程と（Ｓ８０〜Ｓ１００）、排水管４０と給湯器３０のドレイン管３２との間接排水を確保する間接排水確保工程（Ｓ１１０）と、を含む。【選択図】図５
2018031120.tif 000002
【特許請求の範囲】
【請求項１】
バルコニーにおける床仕上げ材及び排水管の施工方法であって、
上記バルコニーの床面に上記床仕上げ材を敷設する設置工程と、
以下の（Ａ）及び（Ｂ）の条件を具備するように上記排水管を位置決めする位置決め工程と、
（Ａ）上記排水管の上端が、上記床仕上げ材の上方に上記床仕上げ材と間隔を空けて上記床面から立設した壁面に配置された給湯器の排水が流れるドレイン管と間接排水によって接続可能な位置であること、
（Ｂ）上記排水管の下端に繋がれて上記排水管を支持する継手が、平面視において上記床仕上げ材の目地と重ならない位置であること、
上記床仕上げ材における上記位置決め工程で位置決めされた上記継手に対応する位置に上記継手が嵌合可能な孔をあける孔あけ工程と、
上記ドレイン管と上記間接排水によって接続可能な長さに上記排水管を切断する排水管切断工程と、
上記継手が上記孔に嵌合することで上記床仕上げ材が上記継手を支持しており、上記継手が上記排水管の下端に繋がれており、且つ少なくとも一つの固定部材が上記排水管を上記壁面に固定している状態に、上記排水管を配置する排水管配置工程と、
上記排水管と上記ドレイン管との上記間接排水を確保する間接排水確保工程と、を含むバルコニーにおける床仕上げ材及び排水管の施工方法。
【請求項２】
上記間接排水確保工程において上記間接排水が確保された上記排水管及び上記ドレイン管をカバーで覆うカバー被覆工程を含む請求項１に記載のバルコニーにおける床仕上げ材及び排水管の施工方法。
【請求項３】
上記排水管配置工程において上記排水管を上記壁面に固定する上記固定部材のうちの少なくとも一つは、上記カバー被覆工程において上記カバーに覆われる位置に配置される請求項２に記載のバルコニーにおける床仕上げ材及び排水管の施工方法。
【請求項４】
上記継手は、本体と、当該本体から張り出したフランジとを備え、
上記孔の径は、上記本体の径以上であり且つ上記フランジの径未満である請求項１から３のいずれかに記載のバルコニーにおける床仕上げ材及び排水管の施工方法。
【請求項５】
上記ドレイン管は、フレキシブル管であり、
上記位置決め工程における上記間接排水によって接続可能な位置は、上記ドレイン管における上記排水管と上記間接排水によって接続される側の端が上記ドレイン管の湾曲によって移動可能な位置である請求項１から４のいずれかに記載のバルコニーにおける床仕上げ材及び排水管の施工方法。
【請求項６】
上記ドレイン管は、フレキシブル管であり、
上記間接排水確保工程における上記間接排水の確保は、上記ドレイン管の湾曲または切断の少なくとも一方によって行われる請求項１から５のいずれかに記載のバルコニーにおける床仕上げ材及び排水管の施工方法。
【請求項７】
上記排水管配置工程において、上記排水管は、その上端にソケットが連結された状態で配置され、
上記排水管の上端に連結された上記ソケットにおける上記ドレイン管と対向する部分の径は、上記ドレイン管の径よりも長い請求項１から６のいずれかに記載のバルコニーにおける床仕上げ材及び排水管の施工方法。
【請求項８】
上記固定部材は、上記壁面に固定される一端と上記排水管に固定される他端との長さが可変に構成されており、
上記排水管は、上記位置決め工程において、上記壁面に固定された上記固定部材によって固定されることが可能な位置であるという条件を具備するように位置決めされる請求項１から７のいずれかに記載のバルコニーにおける床仕上げ材及び排水管の施工方法。
【発明の詳細な説明】
【技術分野】
【０００１】
本発明は、バルコニーに床仕上げ材及び排水管を施工する方法に関する。
【背景技術】
【０００２】
コンクリートなどによって構成されたバルコニーの床面の上に、合成樹脂などによって構成された床仕上げ材が敷設されることがある。これにより、バルコニーの床表面の装飾の自由度を高めることができる。また、これにより、上方から流れてきた雨水などの水を、床仕上げ材と床面との間の空間を通じて、バルコニーに形成された排水溝へ導くことができる。
【０００３】
特許文献１には、雨樋で受けた雨水を、竪樋を通じて床仕上げ材と床面との間の空間へ導く雨水の排水構造が開示されている。
【０００４】
バルコニーには、給湯器が設置されることがある。給湯器の排水は、雨水などと同様に、床仕上げ材と床面との間の空間を通じて、バルコニーに形成された排水溝へ導かれる。なお、給湯器からの排水は、例えば凝縮水（ドレイン排水）である。凝縮水は、給湯器が熱をリサイクルすることによって熱効率を向上させるものである場合に、熱のリサイクルの際に発生する水である。
【０００５】
給湯器の排水は、ドレイン管と排水管とを通ってバルコニーの床面へ排水される。ドレイン管は、給湯器に備えられており、給湯器の排水が流れる管である。排水管は、その一端をドレイン管と間接接続されており、その他端を継手を介して床仕上げ材に支持された管である。排水管とドレイン管とが間接接続されている理由は、ドレイン管から排水管へ流れた凝縮水がドレイン管を通じて給湯器内部へ逆流することを防止するためである。
【先行技術文献】
【特許文献】
【０００６】
【特許文献１】特開２００３−２７８２６８号公報
【発明の概要】
【発明が解決しようとする課題】
【０００７】
給湯器の排水を床仕上げ材と床面との間の空間へ導く構造として、特許文献１に開示された雨水の排水構造を用いることが考えられる。しかしながら、以下に説明するように、給湯器の排水構造は、特許文献１に開示された雨水の排水構造とは構造が異なるために、特許文献１に開示された構造をそのまま用いることができない。
【０００８】
雨水の排水構造では、通常、竪樋は、その上方に配置された雨樋に連結されている。つまり、竪樋は、雨樋からぶら下がった状態である。また、竪樋は、その側方を固定部材によって壁に固定されている。
【０００９】
しかしながら、給湯器の排水を排水溝へ導く構造の場合、上述したようにドレイン管と排水管とが間接接続されているため、排水管をドレイン管にぶら下げた状態とすることができない。また、固定部材による側方の固定のみでは、排水管が上下に動くおそれがあり、不安定である。そのため、排水管は、上述したように、継手を介して床仕上げ材によって支持される必要がある。
【００１０】
また、上述したような構造の相違により、給湯器の排水構造に特有の問題がある。床仕上げ材は、複数のタイルが配列されて構成されている。各タイルの境界には、目地が形成されている。目地に継手が配置されると、つまり床仕上げ材におけるタイルの目地の部分が継手を介して排水管を支持する状態となると、継手が不安定になり、ひいては排水管が不安定になる。
【００１１】
本発明は、上記の事情に鑑みてなされたものであり、その目的は、排水管を安定して配置することができるバルコニーにおける床仕上げ材及び排水管の施工方法を提供することにある。
【課題を解決するための手段】
【００１２】
(1)  本発明は、バルコニーにおける床仕上げ材及び排水管の施工方法である。当該施工方法は、上記バルコニーの床面に上記床仕上げ材を敷設する設置工程と、後述する（Ａ）及び（Ｂ）の条件を具備するように上記排水管を位置決めする位置決め工程と、上記床仕上げ材における上記位置決め工程で位置決めされた上記継手に対応する位置に上記継手が嵌合可能な孔をあける孔あけ工程と、上記ドレイン管と上記間接排水によって接続可能な長さに上記排水管を切断する排水管切断工程と、上記継手が上記孔に嵌合することで上記床仕上げ材が上記継手を支持しており、上記継手が上記排水管の下端に繋がれており、且つ少なくとも一つの固定部材が上記排水管を上記壁面に固定している状態に、上記排水管を配置する排水管配置工程と、上記排水管と上記ドレイン管との上記間接排水を確保する間接排水確保工程と、を含む。（Ａ）の条件は、上記排水管の上端が、上記床仕上げ材の上方に上記床仕上げ材と間隔を空けて上記床面から立設した壁面に配置された給湯器の排水が流れるドレイン管と間接排水によって接続可能な位置であることである。（Ｂ）の条件は、上記排水管の下端に繋がれて上記排水管を支持する継手が、平面視において上記床仕上げ材の目地と重ならない位置であることである。
【００１３】
上記方法によれば、継手が嵌合される孔は、平面視において床仕上げ材の目地と重ならない位置にあけられる。これにより、孔に嵌合された継手の位置を安定させることができる。
【００１４】
また、上記方法によれば、排水管は、位置決め工程においてドレイン管と間接排水によって接続可能な位置に位置決めされ、間接排水確保工程において実際にドレイン管との間接排水を確保される。これにより、間接排水を確保する段階になって、排水管とドレイン管との間接排水ができない事態となることを防止できる。
【００１５】
(2)  上記間接排水確保工程において上記間接排水が確保された上記排水管及び上記ドレイン管をカバーで覆うカバー被覆工程を含む。
【００１６】
上記方法によれば、排水管及びドレイン管がカバーで覆われているため、ドレイン管から排水管へ流れる水が周辺へ飛び散ることを防止できる。
【００１７】
(3)  上記排水管配置工程において上記排水管を上記壁面に固定する上記固定部材のうちの少なくとも一つは、上記カバー被覆工程において上記カバーに覆われる位置に配置される。
【００１８】
上記方法によれば、固定部材の少なくとも一つが、カバーの内部、つまり排水管におけるドレイン管の近傍において排水管を壁面に固定している。これにより、排水管におけるドレイン管の近傍部分の位置ずれを低減することができる。その結果、ドレイン管から流出した水が誤って排水管外へ落下することを低減することができる。
【００１９】
(4)  上記継手は、本体と、当該本体から張り出したフランジとを備える。上記孔の径は、上記本体の径以上であり且つ上記フランジの径未満である。
【００２０】
上記方法によれば、床仕上げ材は、下方からフランジを支持することによって、継手を支持することができる。
【００２１】
(5)  例えば、上記ドレイン管は、フレキシブル管であり、上記位置決め工程における上記間接排水によって接続可能な位置は、上記ドレイン管における上記排水管と上記間接排水によって接続される側の端が上記ドレイン管の湾曲によって移動可能な位置である。
【００２２】
(6)  上記ドレイン管は、フレキシブル管である。上記間接排水確保工程における上記間接排水の確保は、上記ドレイン管の湾曲または切断の少なくとも一方によって行われる。
【００２３】
上記方法によれば、平面視において、位置決め工程において位置決めされた排水管の水の流入口の位置が、ドレイン管の水の流出口の位置と重なっていない場合であっても、ドレイン管を湾曲させることにより、排水管とドレイン管との間接排水を確保することができる。
【００２４】
また、上記方法によれば、排水管とドレイン管とが上下方向に近づき過ぎている場合であっても、ドレイン管を切断することにより、排水管とドレイン管との間接排水を確保することができる。
【００２５】
(7)  上記排水管配置工程において、上記排水管は、その上端にソケットが連結された状態で配置される。上記排水管の上端に連結された上記ソケットにおける上記ドレイン管と対向する部分の径は、上記ドレイン管の径よりも長い。
【００２６】
上記方法によれば、ソケットがドレイン管よりも太く構成されることで間接排水が確保されている。そのため、間接排水の確保のために、排水管を必要以上に太くする必要がない。つまり、細い排水管を用いることができる。
【００２７】
(8)  上記固定部材は、上記壁面に固定される一端と上記排水管に固定される他端との長さが可変に構成されている。上記排水管は、上記位置決め工程において、上記壁面に固定された上記固定部材によって固定されることが可能な位置であるという条件を具備するように位置決めされる。
【００２８】
上記方法によれば、排水管配置工程において、固定部材が排水管を壁面に固定した状態とすることができない事態となることを防止できる。
【発明の効果】
【００２９】
本発明によれば、排水管を安定して配置することができる。
【図面の簡単な説明】
【００３０】
【図１】図１は、給湯器３０と床仕上げ材２０と排水管４０とが配置され且つドレイン管３２と排水管４０との間の間接排水が確保されたバルコニー１０の斜視図である。
【図２】図２は、図１のＩＩ−ＩＩ断面図である。
【図３】図３（Ａ）は、排水管４０とソケット４１と継手４２と固定部材４３との斜視図であり、図３（Ｂ）は、排水管４０にソケット４１及び継手４２が取り付けられたものの斜視図である。
【図４】図４は、固定部材４３の断面図であり、（Ａ）には固定部材４３が伸長した状態が示され、（Ｂ）には固定部材４３が収縮した状態が示されている。
【図５】図５は、バルコニー１０における床仕上げ材２０及び排水管４０の施工方法を説明するためのフローチャートである。
【図６】図６は、給湯器３０と孔２５があけられていない床仕上げ材２０とが配置されたバルコニー１０の斜視図である。
【図７】図７は、排水管４０が仮配置されたバルコニー１０の斜視図である。
【図８】図８は、給湯器３０と孔２５があけられた床仕上げ材２０とが配置されたバルコニー１０の斜視図である。
【図９】図９は、給湯器３０と床仕上げ材２０と排水管４０とが配置され且つドレイン管３２と排水管４０との間の間接排水が確保されていないバルコニー１０の斜視図である。
【図１０】図１０は、床仕上げ材２０が敷設されたバルコニー１０の模式平面図であり、排水管４０の配置可能範囲が示されている。
【発明を実施するための形態】
【００３１】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、給湯器３０が使用可能に設置された状態（図１の状態）を基準として上下方向７が定義され、給湯器３０の正面を前面３３として前後方向８が定義され、給湯器３０を前方から視て左右方向９が定義される。上下方向７、前後方向８、及び左右方向９は、互いに直交している。
【００３２】
［バルコニー１０における床仕上げ材２０及び排水管４０の構造］
図１に示されるように、バルコニー１０は、建築物の外壁１３から前方へ突出した床壁１４と、床壁１４の突出先端部から上方へ立設された手摺壁１５とを備える。床壁１４の上面である床面１１は、物や人を支持する。床面１１は、例えば防水シートが敷かれたり防水塗装されることによって防水加工されている。外壁１３のうち床面１１から上方へ立設した壁面１２には、後述する給湯器３０が取り付けられている。
【００３３】
床面１１は、前方が後方よりも下方に位置するように傾斜している。床面１１における床壁１４の突出先端部には、左右に延びた排水溝１６が形成されている。
【００３４】
床面１１には、床仕上げ材２０が敷設されている。床仕上げ材２０は、合成樹脂の成形品である。１つの床仕上げ材２０は、正方形の概ね平板である複数枚（例えば４枚）のタイル２２が間隔（目地２４）を空けて連結されて一体となったものである。複数の床仕上げ材２０が間隔（目地２４）を空けた状態で床面１１に固定されることによって、バルコニー１０の床が仕上げられている。なお、複数の床仕上げ材２０は、床面１１に固定されるとともに相互に連結されていてもよい。
【００３５】
図２に示されるように、床仕上げ材２０は、タイル２２の下面（例えばタイル２２の四隅）から下方へ延びた複数の脚部２３を備えている。これにより、床仕上げ材２０が床面１１に固定された状態において、床面１１とタイル２２との間には、空間２１が形成される。
【００３６】
タイル２２の上面の縁部には、縁へ向かうにしたがって下方へ向かうように傾斜した傾斜面２２Ａが形成されている。
【００３７】
上方から床仕上げ材２０のタイルの上面へ落下した水は、目地２４を通って床面１１とタイル２２との間の空間２１へ流れ、床面１１に至る。床面１１に至った水は、傾斜した床面１１に沿って流れて排水溝１６に至る。
【００３８】
図１に示されるように、目地２４は、縦目地２４Ａと横目地２４Ｂとを備えている。縦目地２４Ａは、前後方向８に延びている。横目地２４Ｂ、左右方向９に延びており、縦目地２４Ａと直交している。
【００３９】
図８に示されるように、床仕上げ材２０における後述する給湯器３０の下方の位置において、タイル２２の部分を貫通する孔２５が形成されている。孔２５には、後述する継手４２が挿入されている（図１参照）。
【００４０】
図１に示されるように、壁面１２に取り付けられた給湯器３０は、床仕上げ材２０の上方に床仕上げ材２０と間隔を空けて配置されている。給湯器３０は、本体３１と、ドレイン管３２とを備えている。
【００４１】
本体３１の内部構成、及び本体３１の壁面１２への取付構成は公知であるため、ここでは、本体３１の詳細な説明は省略される。
【００４２】
ドレイン管３２は、本体３１から下方へ延出されている。ドレイン管３２は、本体３１からの排水が流通する管である。排水は、例えば凝縮水（ドレイン排水）である。凝縮水は、給湯器３０が熱をリサイクルすることによって熱効率を向上させるものである場合に、熱のリサイクルの際に発生する水である。本実施形態において、ドレイン管３２は、湾曲自在なフレキシブル管であり、ステンレス製である。ドレイン管３２の一端（上端）は、本体３１と接続されている。ドレイン管３２の他端（下端）は、開放されており、開口３２Ａが形成されている。
【００４３】
図１に一点鎖線で示されるように、給湯器３０の本体３１の下方には、カバー３４が配置されている。カバー３４は、アルミ、ステンレス、合成樹脂などで構成されている。
本実施形態において、カバー３４は、中空の直方体形状であり、その上端と下端とは開放されている。なお、カバー３４の上端が開放されておらず、当該上端にドレイン管３２が挿通可能な貫通孔が形成されていてもよい。また、カバー３４の下端が開放されておらず、当該下端に排水管４０が挿通可能な貫通孔が形成されていてもよい。カバー３４は、ドレイン管３２と後述する排水管４０との接続部分を覆っている。カバー３４が配置されることにより、ドレイン管３２などを隠して給湯器３０の意匠性を高めている。また、カバー３４が配置されることにより、ユーザが後述するドレイン管３２及び排水管４０の間接排水部分に容易に触れることができないようにしている。また、カバー３４が配置されることにより、当該間接排水部分への異物の侵入を抑制している。
【００４４】
図１に示されるように、上下方向７におけるドレイン管３２と床仕上げ材２０との間に、排水管４０、ソケット４１、継手４２、及び固定部材４３が配置されている。
【００４５】
図３に示されるように、排水管４０は、円筒形状である。本実施形態において、排水管４０は、塩化ビニルなどの合成樹脂製の成形品である。
【００４６】
ソケット４１は、概ね円筒形状である（大径部と小径部とテーパ部とがある。）。本実施形態において、ソケット４１は、塩化ビニルなどの合成樹脂製の成形品である。
【００４７】
ソケット４１の下端に形成された小径部における開口４１Ａの径は、ソケット４１の上端に形成された大径部における開口４１Ｂの径よりも短い。
【００４８】
開口４１Ａの径は、排水管４０の上端の外径と略同一である。排水管４０の上端がソケット４１の下端に挿入されることによって、ソケット４１は排水管４０に連結されている（図３（Ｂ）参照）。なお、ソケット４１と排水管４０との連結部分は、水密性を確保するためにコーキングされている。
【００４９】
開口４１Ｂの径は、ドレイン管３２の開口３２Ａ（図１参照）の径よりも長い。図１に示されるように、ソケット４１は、ドレイン管３２の下方に、ドレイン管３２と上下方向７に間隔を空けて配置されている。つまり、開口４１Ｂは、ドレイン管３２の開口３２Ａと上下方向７に対向している。このとき、平面視（上下方向７に沿った視線）において、ドレイン管３２の開口３２Ａは、ソケット４１の開口４１Ｂに包含されている。つまり、ドレイン管３２とソケット４１が取り付けられた排水管４０とは、間接排水によって接続されている。
【００５０】
図３に示されるように、継手４２は、円筒形状の本体４４と、本体４４の外周面から径方向へ張り出したフランジ４５と、本体４４の内周面から径方向へ張り出したリブ（不図示）とを備えている。なお、リブは、内周面の全周から張り出していてもよいし、内周面の一部から張り出していてもよい。
【００５１】
本体４４の上端に形成された開口４２Ａの径は、排水管４０の下端の外径と略同一である。排水管４０の下端が本体４４の上端に挿入され、リブが下方から排水管４０の下端に当接して当該下端を支持することによって、継手４２は排水管４０に連結されている（図３（Ｂ）参照）。本体４４の径は、床仕上げ材２０に形成された孔２５の径以下である。これにより、本体４４の下端は、孔２５に挿入されている（図１参照）。
【００５２】
フランジ４５は、本体４４の上端よりも、本体４４の下端寄りに形成されている。換言すると、本体４４の上端とフランジ４５との間の上下方向７に沿った長さは、本体４４の下端とフランジ４５との間の上下方向７に沿った長さよりも長い。
【００５３】
フランジ４５の径は、床仕上げ材２０に形成された孔２５の径よりも長い。これにより、本体４４の下端が孔２５に挿入された状態において、床仕上げ材２０は、下方からフランジ４５を支持している。つまり、床仕上げ材２０は、継手４２を支持している。また、床仕上げ材２０に支持された状態の継手４２は、下方から継手４２に繋がれた排水管４０を支持している。継手４２は、フランジ４５の下面の全面が床仕上げ材２０の上面に当接して支持されている。そのため、継手４２を介して排水管４０が床仕上げ材２０に安定して支持されている。
【００５４】
本実施形態において、継手４２は、耐候性ゴムである。なお、継手４２は、合成樹脂の成形品でもよい。
【００５５】
図１に示されるように、固定部材４３は、排水管４０を壁面１２に固定するためのものである。図３に示されるように、固定部材４３は、嵌合部４６と、スライド部４７と、固定部４８とを備えている。
【００５６】
嵌合部４６は、排水管４０に嵌合する部分である。嵌合部４６は、Ｃ字形状であり、弾性変形可能である。嵌合部４６のＣ字の内径Ｒは、排水管４０の直径と略同一である。嵌合部４６のＣ字の切れ目には、開口４６Ａが形成されている。開口４６Ａの長さＬ（詳細には、嵌合部４６のＣ字の切れ目の一端から他端までの距離）は、排水管４０の外周面の直径よりも短い。なお、開口４６Ａの長さＬは、排水管４０が嵌合部４６に嵌合されるに際して、開口４６Ａを拡げるように嵌合部４６を弾性変形させるために好適な長さである。
【００５７】
スライド部４７は、嵌合部４６における開口４６Ａの反対側から、開口４６Ａから離れるように延出されている。スライド部４７の外周面には、雄ネジ（不図示）が形成されている。
【００５８】
固定部４８は、第１板４８Ａと、第１板４８Ａよりも嵌合部４６から離れた一対の第２板４８Ｂと、第１板４８Ａ及び一対の第２板４８Ｂを繋ぐ一対の第３板４８Ｃとを備える。
【００５９】
第１板４８Ａには、開口４８Ｄが形成されている。開口４８Ｄの内周面には、上記雄ネジに対応する雌ネジ（不図示）が形成されている。スライド部４７と開口４８Ｄとが螺合されている。スライド部４７が回転されることによって、スライド部４７は、固定部材４３が伸縮するように、固定部４８に対してスライドする。つまり、固定部材４３は、壁面１２に固定される一端と排水管４０に固定される他端との長さが可変に構成されている。図４（Ａ）に、固定部材４３が最長に伸長した状態が示されている。図４（Ｂ）に、固定部材４３が最短に収縮した状態が示されている。一対の第２板４８Ｂの各々には、開口４８Ｅが形成されている。釘やネジなどが開口４８Ｅを通じて壁面１２に打ち付けられることにより、固定部４８は壁１３に固定される。
【００６０】
図１に示されるように、複数の固定部材４３が、上下方向７に間隔を空けて配置されている。各固定部材４３は、嵌合部４６が排水管４０と嵌合し且つ固定部４８が壁１３に固定されることによって、排水管４０を壁面１２に固定している。複数の固定部材４３のうちの少なくとも１個が、カバー３４に覆われている。本実施形態では、２個の固定部材４３が上下方向７に離間されて配置されており、そのうち上に位置する１個の固定部材４３がカバー３４に覆われている。
【００６１】
［バルコニー１０における床仕上げ材２０及び排水管４０の施工方法］
以下、図５のフローチャートを参照しつつ、バルコニー１０における床仕上げ材２０及び排水管４０の施工方法が説明される。
【００６２】
最初に、バルコニー１０の床面１１に、床仕上げ材２０が敷設される（Ｓ１０）。図６に示されるように、床仕上げ材２０は、複数のマット２１が前後方向８及び左右方向９に沿って碁盤目状に配列されるように敷設される。ステップＳ１０の工程は、設置工程である。
【００６３】
次に、図３（Ｂ）に示されるように、ソケット４１が排水管４０の軸方向の一端に連結され、継手４２が排水管４０の軸方向の他端に連結される（Ｓ２０）。具体的には、ソケット４１の開口４１Ａに、排水管４０の軸方向の一端が嵌められる。また、継手４２の開口４２Ａに、排水管４０の軸方向の他端が嵌められる。
【００６４】
次に、図７に示されるように、ステップＳ２０でソケット４１及び継手４２が連結された排水管４０の位置決めが実行される。本実施形態では、ステップＳ２０でソケット４１及び継手４２が連結された排水管４０は、上下方向７に立てられた状態で、床仕上げ材２０上に仮配置される（Ｓ３０）。この際、ステップＳ２０でソケット４１及び継手４２が連結された排水管４０は、ソケット４１が連結された軸方向の一端が上端となり、継手４２が連結された軸方向の他端が下端となるように立てられる。
【００６５】
仮配置された排水管４０が以下で説明する条件（Ａ）〜（Ｄ）を満たすか否かが、判断される（Ｓ４０）。条件（Ａ）〜（Ｄ）のうちの少なくとも一つを満たさない場合（Ｓ４０：Ｎｏ）、満たさない条件を満たすように、仮配置された排水管４０が移動される（Ｓ５０）。条件（Ａ）〜（Ｄ）の全てを満たす場合（Ｓ４０：Ｙｅｓ）、ステップＳ６０が実行される。
【００６６】
条件（Ａ）は、仮配置された排水管４０の上端（詳細にはソケット４１の上端）が、ドレイン管３２と間接排水によって接続可能な位置であることである。
【００６７】
排水管４０の上端がドレイン管３２と間接排水によって接続可能な位置であるには、排水管４０の上端が、ドレイン管３２における排水管４０と間接排水によって接続される側の端（ドレイン管３２の下端）と上下方向７に沿って所定の間隔を空けて対向するように、排水管４０が配置されている必要がある。
【００６８】
ここで、本実施形態では、ドレイン管３２は湾曲自在なフレキシブル管である。そのため、ドレイン管３２の下端は、ドレイン管３２が湾曲することによって、ドレイン管３２の開口３２Ａが前後方向８及び左右方向９の所定の範囲に亘って移動可能である。所定の範囲は、図１０において、一点鎖線Ａで示された円の内部である。よって、排水管４０の上端がドレイン管３２と間接排水によって接続可能な位置であるには、排水管４０の上端が、当該所定の範囲のいずれかの位置にあるドレイン管３２の下端と上下方向７に沿って所定の間隔を空けて対向するように、排水管４０が配置されている必要がある。なお、所定の間隔は、本実施形態において５０（ｍｍ）以上である。また、所定の範囲は、ドレイン管３２が長い程、大きくなる。
【００６９】
条件（Ａ）を満たさない場合、つまり、仮配置された排水管４０の上端が、平面視において上記所定の範囲外に位置する場合、排水管４０は、その上端が平面視において上記所定の範囲内となるように移動される。
【００７０】
条件（Ｂ）は、仮配置された排水管４０の下端（詳細には継手４２のフランジ４５の下面の全面）が、平面視において床仕上げ材２０の目地２４と重ならない位置であることである。つまり、継手４２の真下に、目地２４が存在しないことである。図１０において、目地２４の範囲は、「Ｂ」で示されている。
【００７１】
継手４２の真下に縦目地２４Ａが存在する場合、排水管４０は、縦目地２４Ａを避けるように左右方向９へ移動される。継手４２の真下に横目地２４Ｂが存在する場合、排水管４０は、横目地２４Ｂを避けるように前後方向８へ移動される。
【００７２】
条件（Ｃ）は、仮配置された排水管４０が、固定部材４３によって壁面１２への固定が可能であることである。換言すると、排水管４０の位置が、前後方向８において固定部材４３を介した壁面１２への固定が可能な位置であることである。
【００７３】
固定部材４３を介した壁面１２への固定が可能な位置とは、固定部材４３の伸縮の状態にかかわらず、排水管４０が固定部材４３を介して壁面１２へ固定可能な位置のことである。具体的には、固定部材４３を介した壁面１２への固定が可能な位置とは、前後方向８において、固定部材４３が最短に収縮した状態（図４（Ｂ）に示された状態）の嵌合部４６の位置と、固定部材４３が最長に伸長した状態（図４（Ａ）に示された状態）の嵌合部４６の位置と、前記両位置の間の任意の位置とを含む。固定部材４３を介した壁面１２への固定が可能な位置は、図１０において、２本の二点鎖線Ｃの間の範囲にある任意の位置である。
【００７４】
仮配置された排水管４０が、固定部材４３が最短に収縮した状態の嵌合部４６の位置よりも壁面１２に近い場合、排水管４０は、壁面１２から離れるように前方へ移動される。仮配置された排水管４０が、固定部材４３が最長に伸長した状態の嵌合部４６の位置よりも壁面１２から離れている場合、排水管４０は、壁面１２へ近づくように後方へ移動される。
【００７５】
条件（Ｄ）は、排水管４０の仮配置位置が、給湯器３０のドレイン管３２以外の他配管（図１０において「Ｄ」で示されている。）と干渉しないことである。
【００７６】
仮配置された排水管４０が他配管と干渉する場合、排水管４０は、他配管を避けるように前後方向８または左右方向９の少なくとも一方へ移動される。なお、仮配置された排水管４０がドレイン管３２と干渉する場合、後のステップにおいて排水管４０またはドレイン管３２が切断される。
【００７７】
以上より、排水管４０は、図１０に示されるように、一点鎖線Ａで示された円の内側のハッチング部分のいずれかの位置に配置されることによって、条件（Ａ）〜（Ｄ）を満たすように配置される。
【００７８】
ステップＳ３０〜Ｓ５０の工程は、位置決め工程である。
【００７９】
条件（Ａ）〜（Ｄ）を満たすように排水管４０が仮配置されると（Ｓ４０：Ｙｅｓ）、図８に示されるように、床仕上げ材２０のタイル２２の上面における仮配置された排水管４０に連結された継手４２に対応する位置、例えば孔２５の外形線や中心位置がマーキングされる。そして、マーキングに基づいて孔２５があけられる（Ｓ６０）。孔２５の径は、継手４２の本体４４の径以上であり、且つ継手４２のフランジ４５の径未満である。ステップＳ６０の工程は、孔あけ工程である。
【００８０】
次に、上述した排水管４０の仮配置（位置決め）において、排水管４０が長すぎて条件（Ａ）や条件（Ｄ）を満たすことができないことが明らかとなった場合、排水管４０が適切な長さに切断される（Ｓ７０）。つまり、排水管４０は、ドレイン管３２と間接排水によって接続可能であり、他配管と干渉しない長さに切断される。ステップＳ７０の工程は、排水管切断工程である。
【００８１】
次に、図９に示されるように、排水管４０をステップＳ３０〜Ｓ５０において位置決めした位置に本配置する。以下に詳述する。
【００８２】
本実施形態では、最初に、図２（Ｂ）に示されるように、ソケット４１が排水管４０の軸方向の一端に連結され、継手４２が排水管４０の軸方向の他端に連結される（Ｓ８０）。具体的には、ソケット４１の開口４１Ａに、排水管４０の軸方向の一端が嵌められる。また、継手４２の開口４２Ａに、排水管４０の軸方向の他端が嵌められる。
【００８３】
次に、ステップＳ８０において排水管４０に連結された継手４２を、床仕上げ材２０に取り付ける（Ｓ９０）。詳細には、継手４２の本体４４の軸方向の端部のうち、開口４２Ａ（図３（Ａ）参照）が形成されていない側の端部が、孔２５に嵌められる。このとき、床仕上げ材２０は、下方からフランジ４５と当接する。これにより、床仕上げ材２０は、継手４２を支持した状態となる。つまり、床仕上げ材２０が、継手４２を介して排水管４０を支持した状態となる。
【００８４】
これにより、排水管４０は、ソケット４１が上端となり、継手４２が下端となるように立てられた状態で配置される。
【００８５】
次に、少なくとも一つの固定部材４３が壁面１２及び排水管４０に取り付けられる（Ｓ１００）。固定部材４３が、排水管４０と壁面１２との間に配置される。そして、固定部材４３の固定部４８の開口４８Ｅを通じて釘やネジが壁面１２に打ち付けられることにより、固定部４８が壁面１２に固定される。また、固定部材４３の嵌合部４６に排水管４０が嵌合される。以上により、排水管４０が、固定部材４３を介して壁面１２に固定される。
【００８６】
壁面１２及び排水管４０に取り付けられる固定部材４３のうちの少なくとも一つは、後述するステップＳ１２０においてカバー３４に覆われる位置に配置される。
【００８７】
ステップＳ８０〜Ｓ１００の工程は、排水管配置工程である。
【００８８】
次に、床仕上げ材２０に支持され且つ固定部材４３を介して壁面１２に固定された排水管４０とドレイン管３２との間接排水が確保される（Ｓ１１０）。具体的には、ドレイン管３２が湾曲されることによって、ドレイン管３２における給湯器３０の本体３１からの突出先端（ドレイン管３２の下端）が、排水管４０に取り付けられたソケット４１の真上にソケット４１と所定の間隔（本実施形態では５０（ｍｍ）以上）を空けて位置される。換言すると、ドレイン管３２の開口３２Ａと、ソケット４１の開口４１Ｂとが、所定の間隔を空けて上下方向７において対向される（図１参照）。また、ドレイン管３２が長すぎることにより、ドレイン管３２を湾曲させても開口３２Ａと開口４１Ｂとを所定の間隔を空けて対向させることができない場合、ドレイン管３２が、適切な長さとなるように切断される。ステップＳ１１０の工程は、間接排水確保工程である。
【００８９】
次に、カバー３４が配置される（Ｓ１２０）。カバー３４は、給湯器３０の本体３１から下方に延びたドレイン管３２などの配管を覆うように配置される。カバー３４は、ドレイン管３２と排水管４０との間接排水による接続部分を覆うように配置される。間接排水による接続部分は、ドレイン管３２における開口３２Ａ及びその周辺部分と、ソケット４１における開口４１Ｂ及びその周辺部分とである。カバー３４は、壁面１２及び排水管４０に取り付けられた固定部材４３のうちの少なくとも一つを覆うように配置される。ステップＳ１２０の工程は、カバー被覆工程である。
【００９０】
［実施形態の効果］
仮に、継手４２が嵌合される孔２５が、上下方向７に沿った平面視において床仕上げ材２０の目地２４と重なる位置にあけられている場合、継手４２のフランジ４５が、タイル２２の上面の縁部に形成された傾斜面２２Ａ（図２参照）の真上に位置するおそれがある。その場合、フランジ４５の少なくとも一部は、タイル２２の上面から浮いた状態となる。その結果、継手４２は、ぐらつきやすい状態で配置される。つまり、継手４２が不安定になる。
【００９１】
そこで、上記実施形態によれば、継手４２が嵌合される孔２５は、上下方向７に沿った平面視において床仕上げ材２０の目地２４と重ならない位置にあけられる。これにより、孔２５に嵌合された継手４２の位置を安定させることができる。
【００９２】
また、上記実施形態によれば、排水管４０は、位置決め工程（Ｓ３０〜Ｓ５０）においてドレイン管３２と間接排水によって接続可能な位置に位置決めされ、間接排水確保工程（Ｓ１１０）において実際にドレイン管３２との間接排水を確保される。これにより、間接排水を確保する段階になって、排水管４０とドレイン管３２との間接排水ができない事態となることを防止できる。
【００９３】
また、上記実施形態によれば、排水管４０及びドレイン管３２の間接排水による接続箇所がカバー３４で覆われているため、ドレイン管３２から排水管４０へ流れる水が周辺へ飛び散ることを防止できる。
【００９４】
また、上記実施形態によれば、固定部材４３の少なくとも一つが、カバー３４の内部、つまり排水管４０におけるドレイン管３２の近傍において排水管４０を壁面１２に固定している。これにより、排水管４０におけるドレイン管３２の近傍部分の位置ずれを低減することができる。その結果、ドレイン管３２から流出した水が誤って排水管４０外へ落下することを低減することができる。
【００９５】
また、上記実施形態によれば、床仕上げ材２０は、下方からフランジ４５を支持することによって、継手４２を支持することができる。
【００９６】
また、上記実施形態によれば、平面視において、位置決め工程（Ｓ３０〜Ｓ５０）において位置決めされた排水管４０の水の流入口（開口４１Ｂ）の位置が、ドレイン管３２の水の流出口（開口３２Ａ）の位置と重なっていない場合であっても、ドレイン管３２を湾曲させることにより、排水管４０とドレイン管３２との間接排水を確保することができる。
【００９７】
また、上記実施形態によれば、排水管４０とドレイン管３２とが上下方向７に近づき過ぎている場合であっても、ドレイン管３２を切断することにより、排水管４０とドレイン管３２との間接排水を確保することができる。
【００９８】
また、上記実施形態によれば、ソケット４１がドレイン管３２よりも太く構成されることで間接排水が確保されている。そのため、間接排水の確保のために、排水管４０を必要以上に太くする必要がない。つまり、細い排水管４０を用いることができる。
【００９９】
また、上記実施形態によれば、位置決め工程（Ｓ３０〜Ｓ５０）において条件（Ｃ）を満たすように排水管４０が配置される。そのため、排水管配置工程（Ｓ１００）において、固定部材４３が排水管４０を壁面１２に固定した状態とすることができない事態となることを防止できる。
【０１００】
［変形例］
上記実施形態では、排水管４０が実際に仮配置されることによって、排水管４０が位置決めされた。しかし、排水管４０の位置決めは、排水管４０が仮配置されることなく実行されてもよい。例えば、給湯器３０、壁面１２、及び床面１１に敷設された床仕上げ材２０の相対的な位置関係の設計値から、条件（Ａ）〜（Ｄ）を満たすような排水管４０の配置位置が計算によって決定されてもよい。
【０１０１】
上記実施形態では、バルコニー１０における床仕上げ材２０及び排水管４０の施工が、図５のフローチャートの順序で実行された。しかし、排水管４０が条件（Ａ）〜（Ｄ）を満たす適切な位置に配置されるという目的が実現される限りにおいて、当該施工が、図５のフローチャートとは異なる順序で実行されてもよい。
【０１０２】
例えば、床仕上げ材２０の敷設（Ｓ１０）よりも前に、ソケット４１及び継手４２の排水管４０への連結（Ｓ２０）が実行されてもよい。
【０１０３】
また、例えば、排水管４０の切断（Ｓ７０）が、孔２５をあける処理（Ｓ６０）よりも前に実行されてもよい。
【０１０４】
また、例えば、上記実施形態では、ソケット４１及び継手４２が排水管４０に連結された後に（Ｓ８０）、排水管４０に連結された継手４２が床仕上げ材２０に取り付けられた（Ｓ９０）。
【０１０５】
継手４２の排水管４０への連結、ソケット４１の排水管４０への連結、及び継手４２の床仕上げ材２０への連結の順序は、任意である。例えば、最初に継手４２が床仕上げ材２０に連結され、次に排水管４０が継手４２に連結され、最後にソケット４１が排水管４０に連結されてもよい。また、例えば、最初に、ソケット４１が排水管４０に連結され、次に、継手４２が床仕上げ材２０に連結され、最後に、ソケット４１が取り付けられた排水管４０が、継手４２に連結されてもよい。
【０１０６】
また、例えば、ソケット４１の排水管４０への連結は、固定部材４３による排水管４０の壁面１２への固定の後に実行されてもよい。
【符号の説明】
【０１０７】
１０・・・バルコニー
１１・・・床面
１２・・・壁面
２０・・・床仕上げ材
２４・・・目地
２５・・・孔
３０・・・給湯器
３２・・・ドレイン管
３４・・・カバー
４０・・・排水管
４１・・・ソケット
４２・・・継手
４３・・・固定部材
４４・・・本体
４５・・・フランジ
【図１】
2018031120.tif 000003
【図２】
2018031120.tif 000004
【図３】
2018031120.tif 000005
【図４】
2018031120.tif 000006
【図５】
2018031120.tif 000007
【図６】
2018031120.tif 000008
【図７】
2018031120.tif 000009
【図８】
2018031120.tif 000010
【図９】
2018031120.tif 000011
【図１０】
2018031120.tif 000012